(57)【特許請求の範囲】
【請求項１】
施工箇所に取り付けられるベースユニットと、前記ベースユニットに着脱自在に結合されるとともに電気的に接続される機能ユニットとを備え、
前記ベースユニットは電気機器の制御部からの第１の線を接続する接続部を有する接続体を備え、
前記接続部が前記施工箇所への前記ベースユニットの取付け側を向くとともに前記ベースユニットの取付け側の向きとは異なる向きを向くように、前記接続体が前記ベースユニットに回動自在に設けられたことを特徴とする配線器具。
【請求項２】
前記ベースユニットは、前記接続体と第１結合部と第１接点部とを備え、
前記機能ユニットは、前記第１結合部と結合する第２結合部と、前記第１接点部と接続する第２接点部とを備え、
前記第１結合部と前記第２結合部とが結合されるとともに、前記第１接点部と前記第２接点部とが接続されたことを特徴とする請求項１記載の配線器具。
【請求項３】
前記第１接点部には前記接続部からの線が接続され、
前記第２接点部には前記電気機器からの第２の線が接続されることを特徴とする請求項２記載の配線器具。
【請求項４】
前記接続部の向く異なる向きが前記ベースユニットの取付け側の向きに対して略９０度となるように、前記接続体が前記ベースユニットに回動自在に設けられたことを特徴とする請求項１ないし請求項３のいずれかに記載の配線器具。
【請求項５】
前記ベースユニットは、ケースを有し、このケースにロックプレートを有する一対のロック機構を相対向して組み込み、
前記ロックプレートは、中央部が折り曲げられ、この折り曲げられた部分から同一方向に延びて形成された両端部を有し、前記ベースユニットの外側方向に付勢されて前記両端部が前記ベースユニットのケースの側面部から外部に突出しており、
前記機能ユニットは、前記ベースユニットのケースが挿入される挿入口を有するケースを備え、
前記機能ユニットのケースの側面部の内側には、前記両端部のうち前記施工箇所から遠い側に位置する第１端部に対応して、前記挿入口とは反対側を底辺とする断面略三角形状の係合部が形成されており、
前記機能ユニットのケースに前記ベースユニットのケースを挿着し、かつ前記係合部に前記第１端部を係合することにより、前記ベースユニットと前記機能ユニットとを結合したことを特徴とする請求項１ないし請求項４のいずれかに記載の配線器具。
【請求項６】
前記ロックプレートは、前記両端部のうち前記施工箇所から近い側に位置する第２端部を押圧することにより、前記第２端部に連動して前記第１端部が後退するようになっており、
前記第２端部を押圧することにより、前記第１端部を後退させて前記係合部と前記第１端部との係合状態を解除することを特徴とする請求項５記載の配線器具。
【請求項７】
配線器具と監視カメラとを有する監視カメラ装置であって、
前記配線器具は、施工箇所に取り付けられるベースユニットと、前記ベースユニットに着脱自在に結合されるとともに電気的に接続される機能ユニットとを備え、前記ベースユニットは前記監視カメラの制御部からの第１の線を接続する接続部を有する接続体を備え、前記接続部が前記施工箇所への前記ベースユニットの取付け側を向くとともに前記ベースユニットの取付け側の向きとは異なる向きを向くように、前記接続体が前記ベースユニットに回動自在に設けられており、
前記監視カメラは、前記配線器具の機能ユニットに設けられたことを特徴とする監視カメラ装置。
【請求項８】
前記ベースユニットは、前記接続体と第１結合部と第１接点部とを備え、
前記機能ユニットは、前記第１結合部と結合する第２結合部と、前記第１接点部と接続する第２接点部とを備え、
前記第１結合部と前記第２結合部とが結合されるとともに、前記第１接点部と前記第２接点部とが接続されたことを特徴とする請求項７記載の監視カメラ装置。
【請求項９】
前記第１接点部には前記接続部からの線が接続され、
前記第２接点部には前記監視カメラからの第２の線が接続されたことを特徴とする請求項８記載の監視カメラ装置。
【請求項１０】
前記接続部の向く異なる向きが前記ベースユニットの取付け側の向きに対して略９０度となるように、前記接続体が前記ベースユニットに回動自在に設けられたことを特徴とする請求項７ないし請求項９のいずれかに記載の監視カメラ装置。
【請求項１１】
前記ベースユニットは、ケースを有し、このケースにロックプレートを有する一対のロック機構を相対向して組み込み、
前記ロックプレートは、中央部が折り曲げられ、この折り曲げられた部分から同一方向に延びて形成された両端部を有し、前記ベースユニットの外側方向に付勢されて前記両端部が前記ベースユニットのケースの側面部から外部に突出しており、
前記機能ユニットは、前記ベースユニットのケースが挿入される挿入口を有するケースを備え、
前記機能ユニットのケースの側面部の内側には、前記両端部のうち前記施工箇所から遠い側に位置する第１端部に対応して、前記挿入口とは反対側を底辺とする断面略三角形状の係合部が形成されており、
前記機能ユニットのケースに前記ベースユニットのケースを挿着し、かつ前記係合部に前記第１端部を係合することにより、前記ベースユニットと前記機能ユニットとを結合したことを特徴とする請求項７ないし請求項１０のいずれかに記載の監視カメラ装置。
【請求項１２】
前記ロックプレートは、前記両端部のうち前記施工箇所から近い側に位置する第２端部を押圧することにより、前記第２端部に連動して前記第１端部が後退するようになっており、
前記第２端部を押圧することにより、前記第１端部を後退させて前記係合部と前記第１端部との係合状態を解除することを特徴とする請求項１１記載の監視カメラ装置。
【発明の詳細な説明】
【技術分野】
【０００１】
本発明は、配線器具およびこれに監視カメラを設けた監視カメラ装置に関する。
【背景技術】
【０００２】
従来の配線器具は、天井や壁に取り付けられるベースユニットと、これに対し着脱自在に結合される機能ユニットとを有している。ベースユニットと機能ユニットとは、機械的に結合されるとともに、電気的にも接続される。ベースユニットには、天井や壁の穴から引き出された電源線および情報伝送線をそれぞれ接続する端子部を有する端子ブロックおよびレセプタクルがそれぞれ設けられている。そして、ベースユニットの端子ブロックは、ベースユニットの他の部分に固定された構成を有している。一方、監視カメラ等が設けられる機能ユニットには、機能ユニットとベースユニットとが機械的に結合された時に、ベースユニットのレセプタクルに接続されるプラグが設けられている（例えば、特許文献１参照）。
【０００３】
このような配線器具では、ベースユニットの端子ブロックに天井や壁の穴から引き出された電源線および情報伝送線をそれぞれ接続し、天井や壁にベースユニットを固定した後、ベースユニットに機能ユニットを機械的に結合すると、ベースユニットのレセプタクルと機能ユニットのプラグとが接続されて、ベースユニットと機能ユニットとは電気的にも接続される。
【特許文献１】特開平１０−１２３３７号公報
【発明の開示】
【発明が解決しようとする課題】
【０００４】
しかしながら、このような従来の配線器具では、レイアウト変更で、例えば、天井のある位置に取り付けられた配線器具を同じ天井の別の位置に変更する場合、端子部を有する端子ブロックが固定されていて、ベースユニットの端子部への電源線および情報伝送線の接続作業をベースユニットの上方からしか行えない構造になっているために、天井裏からの電源線および情報伝送線を天井から引き出すために、天井に新たな穴開け作業が必ず必要になったり、レイアウト変更後の配線器具の取付場所付近の天井裏側の空間が狭いとき、天井裏側での電源線および情報伝送線の引き回し作業に困難を伴ったりするという課題があった。
【０００５】
本発明は、このような従来の課題を解決するためになされたものであり、レイアウト変更に対しても、天井、壁等からの線のベースユニットへの配線に伴う作業を容易に行うことができる配線器具および監視カメラ装置を提供することを目的とする。
【課題を解決するための手段】
【０００６】
本発明の配線器具は、施工箇所に取り付けられるベースユニットと、前記ベースユニットに着脱自在に結合されるとともに電気的に接続される機能ユニットとを備え、前記ベースユニットは電気機器の制御部からの第１の線を接続する接続部を有する接続体を備え、前記接続部が前記施工箇所への前記ベースユニットの取付け側を向くとともに前記ベースユニットの取付け側の向きとは異なる向きを向くように、前記接続体が前記ベースユニットに回動自在に設けられた構成を有する。
【０００７】
この構成により、レイアウト変更の場合においても、施工箇所に穴を開けることなく、施工箇所のレイアウト変更前の穴から引き出した線を接続部に接続することができる。
【０００８】
本発明の配線器具は、前記ベースユニットが、前記接続体と第１結合部と第１接点部とを備え、前記機能ユニットが、前記第１結合部と結合する第２結合部と、前記第１接点部と接続する第２接点部とを備え、前記第１結合部と前記第２結合部とが結合されるとともに、前記第１接点部と前記第２接点部とが接続された構成を有する。
【０００９】
この構成により、ベースユニットと機能ユニットとの機械的結合および電気的接続を容易に行うことができる。
【００１０】
本発明の配線器具は、前記第１接点部には前記接続部からの線が接続され、前記第２接点部には前記電気機器からの第２の線が接続される構成を有する。
【００１１】
この構成により、ベースユニットと機能ユニットとの電気的接続を容易に行うことができる。
【００１２】
本発明の配線器具は、前記接続部の向く異なる向きが前記ベースユニットの取付け側の向きに対して略９０度となるように、前記接続体が前記ベースユニットに回動自在に設けられた構成を有する。
【００１３】
この構成により、レイアウト変更の場合においても、施工箇所に穴を開けることなく、施工箇所のレイアウト変更前の穴から引き出した線を接続部に接続することができる。
【００１４】
本発明の配線器具は、前記ベースユニットは、ケースを有し、このケースにロックプレートを有する一対のロック機構を相対向して組み込み、前記ロックプレートは、中央部が折り曲げられ、この折り曲げられた部分から同一方向に延びて形成された両端部を有し、前記ベースユニットの外側方向に付勢されて前記両端部が前記ベースユニットの前記ケースの側面部から外部に突出しており、前記機能ユニットは、前記ベースユニットのケースが挿入される挿入口を有するケースを備え、前記機能ユニットのケースの側面部の内側には、前記両端部のうち前記施工箇所から遠い側に位置する第１端部に対応して、前記挿入口とは反対側を底辺とする断面略三角形状の係合部が形成されており、前記機能ユニットのケースに前記ベースユニットのケースを挿着し、かつ前記係合部に前記第１端部を係合することにより、前記ベースユニットと前記機能ユニットとを結合した構成を有する。
【００１５】
この構成により、ベースユニットと機能ユニットとの機械的結合を容易にかつ確実に行うことができる。
【００１６】
本発明の配線器具は、前記ロックプレートは、前記両端部のうち前記施工箇所から近い側に位置する第２端部を押圧することにより、前記第２端部に連動して前記第１端部が後退するようになっており、前記第２端部を押圧することにより、前記第１端部を後退させて前記係合部と前記第１端部との係合状態を解除する構成を有する。
【００１７】
この構成により、ベースユニットからの機能ユニットの取り外しを容易にかつ確実に行うことができる。
【００１８】
本発明の監視カメラ装置は、前記配線器具の前記機能ユニットに監視カメラを設けた構成を有する。
【００１９】
この構成により、レイアウト変更の場合においても、施工箇所に穴を開けることなく、施工箇所のレイアウト変更前の穴から引き出した線を接続部に接続することができる監視カメラ装置を得ることができる。
【発明の効果】
【００２０】
本発明はレイアウト変更に対しても、天井、壁等からの線のベースユニットへの配線に伴う作業を容易に行うことができる配線器具および監視カメラ装置を提供することができるものである。
【発明を実施するための最良の形態】
【００２１】
以下、本発明の実施の形態について、図面を参照しながら説明する。
【００２２】
本発明の実施の形態においては、機能ユニットに接続される電気機器がネットワークに接続されるＩＰ（インターネットプロトコル）用の監視カメラであり、この監視カメラとその制御部との配線を中継する配線器具の場合を例にとって説明する。
【００２３】
図１は本発明の実施の形態における配線器具のベースユニットに機能ユニットを装着する状態を示す分解斜視図、図２は本発明の実施の形態における配線器具を示す分解斜視図である。図１に示すように、この配線器具は、天井、壁等の施工箇所に取り付けられるベースユニット１と、このベースユニットに着脱自在に結合される機能ユニット２とから構成されている。ベースユニット１と機能ユニット２とは、機械的に結合されるとともに、電気的にも接続される。機能ユニット２には、ドームカバー３の内部に監視カメラ４が収納された電気機器５が設けられている。ベースユニット１と機能ユニット２と電気機器５とで監視カメラ装置が構成されている。監視カメラ４は、制御部（図示せず）からパン動作、チルト動作等の制御信号や、モータ駆動電力の供給を受ける。また、監視カメラ４で撮影した映像の信号は制御部に送信される。このような配線器具は、天井に取り付けられて使用することが多いことから、以下の説明では配線器具の取付場所は天井とし、ベースユニット１と機能ユニット２とを結合したときに、ベースユニット１が上側、機能ユニット２が下側にそれぞれ位置するものとする。
【００２４】
図１に示すように、ベースユニット１は、ケース本体６に蓋板７がねじ８で取り付けられたケース９、このケースに回動自在に設けられた接続体１０、この接続体を回動自在に支持するための接続体支持機構（図２参照）、機能ユニット２に対する着脱操作を行うための第１結合部としての一対のロック機構１２、およびケース９内に設けられ外部に露出する接点部１３を持つ第１接点部としての接点ユニット１４を有する。
【００２５】
図２に示すように、ベースユニット１のケース９は、底面部１５、底面部１５に連設する側面部１６、および側面部１６に連設する天井取付用の取付部１７を有するケース本体６と、このケース本体の開口を部分的に覆う蓋板７とを有する。ケース本体６の底面部１５には、上方へ延びる４つのボス（図２では一部のみ示されている）１８、底面部１５に一体成形されその底面に対し直立する溝付きの壁１９、およびロックばね装着部２０が形成されている。ボス１８に蓋板７がねじ８にて固定されることでケース９が構成される（図１参照）。蓋板７には、接続体１０の接続部１１がケース９外に露出するように切欠部２１が形成されている（図１参照）。切欠部２１からケース９外に露出した接続部１１は、天井の方を向くことになる。ケース本体６の側面部１６には、接続体１０を回動させた時に、接続部１１が天井の向きとは略９０度の関係にある壁の方を向くことができる窓２２が形成されているとともに、接点ユニット用の窓２３が形成されている。また、ケース本体６の側面部１６には、ロック機構１２の一部がケース９外に突出する２つの穴２４、２５が相対向して設けられている。
【００２６】
接続体支持機構２６は、図２に示すように、ケース本体６の底面部１５にねじ止めされる断面略Ｌ字形のアングル２７、圧縮ばね２８、ワッシャ２９およびねじ３０を有する。
【００２７】
接続体１０は、図３に示すように、第１ケース部３１と第２ケース部３２とで構成される接続体ケース３３（図２参照）内に、回路基板３４とこの回路基板上に配置された三種類のコネクタからなる接続部１１とが組み込まれ、第１ケース部３１と第２ケース部３２とがねじ３５にて結合される（図２参照）。これらのコネクタは、モジュラジャック型の情報伝送線接続用コネクタ３６、スプリングクランプ方式の温度センサ等のセンサ入出力用コネクタ３７および電源線接続用コネクタ３８からなる。図２および図３において、第１ケース部３１の外側両端面には、その長手方向に中空のボス１８が形成されている（図２および図３では片側のみ示されている）。図示されていない一方のボスは、ケース９の壁１９に形成された溝３９内に挿入され（図２参照）、他方のボス１８は、アングル２７の穴４０に挿入される。アングル２７の穴４０の直径は他方のボス１８の外径よりやや大きい。アングル２７に近接する第１ケース部３１および第２ケース部３２の各側面には、凸部４１が形成されている。一方、アングル２７には凸部４１を受け入れる４つの凹部４２が同心円上に形成されている。アングル２７の穴４０の中心から凹部４２の中心までの距離は、他方のボス１８の中心から凸部４１の中心までの距離と等しく設定されている。凹部４２に凸部４１が挿入された状態を図４の拡大図に示している。そして、他方のボス１８の、アングル２７の穴４０から外側に突出した部分には、圧縮ばね２８およびワッシャ２９がそれぞれ挿入され、ワッシャ２９の外面側から他方のボス１８にねじ３０を締め付けることで、接続体１０がケース９に回動自在に取り付けられている。これによって、圧縮ばね２８はアングル２７とワッシャ２９間に圧縮され、その結果圧縮ばね２８の復元力により接続体ケース３３がアングル側に引き寄せられて、凸部４１がアングル２７に圧接する。このようにして接続体１０は、ベースユニット１に回動自在に設けられる。接続体１０は、指による回動操作によって、接続部１１が略９０度方向転換する。すなわち、接続部１１が、図５に示すように天井へのベースユニット１の取付け側を向くか、図６に示すようにその向きとは異なる向き、例えば取付け側の向きに対して略９０度となる関係にある壁の方を向くかのいずれかの向きに設定することができる。これにより、天井へのベースユニット１の取り付け状況に応じて、接続部１１の向きを、天井の方および壁の方のいずれかの向きに簡単に設定することができる。
【００２８】
なお、第１ケース部３１の外側両端部には、図１および図２に示すように、指でもって接続体１０を回動させる時にその回動操作を行いやすくするために、表面部に複数の溝を形成した略円弧形を有する滑り止め４３が形成されている。
【００２９】
ロック機構１２は、図２に示すように、ロックばね４４、ロックプレート４５およびロック解除釦４６からなる。ロックプレート４５は、折り曲げられた中央部４７と、この折り曲げられた部分から同一方向に延びて形成された第１端部４８および第２端部４９とを有する。天井から近い側に位置する第１端部４８にはロック解除釦４６が固定される。すなわち、ロック解除釦４６には溝５０が形成されており、この溝に第１端部４８が挿入されて、第１端部４８にロック解除釦４６が固定される。そして、ロック解除釦４６がケース本体６の穴２４から外部に突出している（図１参照）。ロック解除釦４６の溝５０の開口側の周囲には、ストッパ５１が形成されている。また、天井から遠い側に位置する第２端部４９は、ケース本体６の穴２５から外部に突出している（図１参照）。図７に示すように、ロックばね４４は、ロックばね装着部２０内に挿入される。そして、ロックばね４４の一端部は、ロックプレート４５に形成されたロックばね取付部５２に挿入され、他端部はロックばね保持爪５３に嵌め込まれて保持される。ロックばね４４の長さは、ロックばね取付部先端とロックばね保持爪後端との距離より十分に長い。このため、ロックプレート４５は、ケース本体６の側面部１６の外側方向に常時付勢されることになる。
【００３０】
次に、ケース９へのロック機構１２の組み込み方法について説明する。
【００３１】
図２において、ロックプレート４５をロックばね装着部２０上に載置し、ロックプレート４５の第２端部４９側に設けられた２つの穴５４にロックばね装着部２０の内側に設けた２本のガイドピン５５を挿入する。この状態で、ロックプレート４５をロックばね装着部２０上にケース本体６の側面部１６の方へスライドさせると、ロックプレート４５は穴５４に挿入されたガイドピン５５により移動経路が規制されながらロックばね装着部２０上をスライドする。さらに、ロックプレート４５をスライドさせ、第１端部４８に固定されたロック解除釦４６を穴２４から外部に突出させるとともに、第２端部４９を穴２５から外部に突出させ、ロック解除釦４６のストッパ５１がケース本体６の側面部１６の内面に当接するまでロックプレート４５をスライドさせる。この状態で、図７に示すように、ロックばね４４の一端部をロックプレート４５に形成したロックばね取付部５２に挿入し、他端部をロックばね装着部２０に形成したロックばね保持爪５３に嵌め込む。これによって、ロックばね４４はロックばね装着部２０に装着されることになる。ロックプレート４５は、ロックばね４４によって常時側面部１６の外側方向に付勢される。
【００３２】
ロックプレート４５が側面部１６の外側方向に付勢されている場合は、前記したとおり、第２端部４９は側面部１６の穴２５から外部に突出する。一方、ロック解除釦４６が側面部１６の内側方向に押された場合は、第２端部４９は、穴２５から後退し、側面部１６の外面から内側に入り込むようになっている。
【００３３】
接点ユニット１４は、図２に示すように、接点部１３、回路基板５６、および接続部１１からのプラグを接続するためのレセプタクル（図示せず）を有する。接点ユニット１４は、ケース本体６の底面部１５に固定されて、接点部１３が窓２３から外部に露出している（図１参照）。接続部１１からのプラグ５７をレセプタクルに接続することにより、監視カメラ４の制御部からの第１の線と接点部１３とが電気的に接続される。
【００３４】
図１に示す機能ユニット２には、前記したように、ドームカバー３の内部に監視カメラ４等が収納された電気機器５が取り付けられている。図２に示すように、機能ユニット２は、機能ユニット２のケース５８と接点ばねユニット５９とを有する。ケース５８は、底面部６０、およびこの底面部に連設しベースユニット挿入口を有する側面部６１からなる。側面部６１には、機能ユニット２にベースユニット１が挿着された状態において、窓２２を通して接続部１１が外部に露出することができるように切欠部６５が形成されている。また、側面部６１には、ケース５８のベースユニット挿入口とは反対側を底辺とする断面略三角形の第２結合部としてのロック爪６２が相対向して形成されている。接点ばねユニット５９は、図８に示すように、複数の溝部を有する枠体６３、およびこれらの溝部に固定され略くの字形の弾性金属片からなる第２接点部としての接点ばね部６４を有する。
【００３５】
以上の構成を有する配線器具の動作について、配線器具を天井面に取り付ける場合を例にして説明する。
【００３６】
あらかじめ、ベースユニット１に回動自在に設けられた接続体１０の接続部１１の向きを天井の方に設定しておく。天井からの各種の線を接続部１１に接続した後、ベースユニット１の取付部１７をねじにて天井に固定する。
【００３７】
次に、ベースユニット１のケース９から外部に突出した一対のロックプレート４５の第１端部４８および第２端部４９の下方に、機能ユニット２のロック爪６２が位置するように、ベースユニット挿入口を上側にして機能ユニット２を支持し、機能ユニット２を上方へ移動させると、機能ユニット２の内側にベースユニット１が挿入される。さらに機能ユニット２を上方へ移動させると、ロックプレートの第２端部が機能ユニット２のロック爪６２に当接する。さらに機能ユニット２を上方へ移動させると、第２端部４９は、ロック爪６２の斜面により内側方向に移動する。さらに機能ユニット２を上方へ移動させると、ロック爪６２の下面が第２端部４９の上面を越え、ロックばね４４のばね作用により第２端部４９が元の状態に復帰し、第２端部４９の上面がロック爪６２の下面に入り込む。これにより、図９に示すように、ベースユニット１に機能ユニット２が挿着され、機能ユニット２がベースユニット１に結合される。
【００３８】
このように、機能ユニット２とベースユニット１との機械的結合は、機能ユニット２を上方へ移動させる操作により簡単に行うことができる。
【００３９】
一方、ベースユニット１から機能ユニット２を取り外すには、２つのロック解除釦４６をベースユニット１の内側方向へ押すことにより、第２端部４９がロック爪６２から外れ、このため機能ユニット２の下方への移動が可能となる。
【００４０】
このように、ベースユニット１から機能ユニット２を取り外す場合にも、その取り外しを簡単に行うことができる。また、２つのロック解除釦４６を同時に押さなければ、ベースユニット１から機能ユニット２を取り外すことができないため、誤って、一方のロック解除釦４６を押してしまっても、機能ユニット２が落下することを防止することができるので、安全性も高い。
【００４１】
次に、ベースユニット１と機能ユニット２との電気的接続について説明する。
【００４２】
ベースユニット１と機能ユニット２との電気的接続は、ベースユニット１の接点部１３と機能ユニット２の接点ばね部６４との接続により行われ、以下に説明する。
【００４３】
上記のように、機能ユニット２とベースユニット１とを機械的に結合した状態においては、ベースユニット１の接点部１３に、監視カメラ４からの第２の線が接続された機能ユニット２の接点ばね部６４が接続される。これにより、監視カメラ４と制御部とは、本発明の実施の形態の配線器具により接続されることとなる。監視カメラ４は、配線器具を通じて制御部からの信号により、パン動作、チルト動作が行えるようになる。
【００４４】
次に、レイアウト変更により、配線器具の移動を伴う場合について説明する。
【００４５】
ベースユニット１のロック解除釦４６を押して、機能ユニット２をベースユニット１から取り外す。ベースユニット１の取付部１７のねじを緩め、天井に固定されたベースユニット１を外す。ベースユニット１を同じ天井の別の場所に移設するにあたっては、工事の難易を配慮にして次のようにして行う。レイアウト変更後の配線器具の取付場所の天井裏が狭く、天井裏での配線が困難な場合には、図５に示す状態から接続体１０を略９０度回動させることで、図６に示すように接続部１１が側面部１６の窓２２から露出する。一方、図１０に示すように、天井６６のレイアウト変更前の穴６７から引き出した線６８を天井面に這わせ、這わせた線６８を側面部１６の窓２２から露出した接続部１１に接続することができる。また、このような接続方法は、天井裏が狭く、天井裏での配線が困難な場合に限らず、天井の新たな穴開け作業を回避することで、レイアウト変更に伴う作業を簡略化する場合にもすぐれた効果を発揮する。
【産業上の利用可能性】
【００４６】
本発明は、レイアウト変更に対しても、天井、壁等からの線のベースユニットへの配線に伴う作業を容易に行うことができるという効果を有し、ＩＰ用監視カメラと同監視カメラの制御部との配線等を中継する配線器具および監視カメラ装置として有用である。
【図面の簡単な説明】
【００４７】
【図１】本発明の実施の形態における配線器具のベースユニットに機能ユニットを取り付ける状態を示す斜視図
【図２】本発明の実施の形態における配線器具を示す分解斜視図
【図３】本発明の実施の形態における配線器具の接続体を示す分解斜視図
【図４】本発明の実施の形態における配線器具の接続体の構成を示す図
【図５】本発明の実施の形態における配線器具のベースユニットを示す斜視図
【図６】本発明の実施の形態における配線器具のベースユニットを示す斜視図
【図７】本発明の実施の形態における配線器具のベースユニットの一部を拡大して示す平面図
【図８】本発明の実施の形態における配線器具のベースユニットに機能ユニットを取り付ける状態を示す斜視図
【図９】本発明の実施の形態における配線器具を示す側面図
【図１０】本発明の実施の形態における配線器具を移設する場合について説明する図
【符号の説明】
【００４８】
１    ベースユニット
２    機能ユニット
４    監視カメラ
５    電気機器
９    ベースユニット１のケース
１０    接続体
１１    接続部
１２    ロック機構
１３    接点部
１４    接点ユニット
１５    ケース９の底面部
１６    ケース９の側面部
１７    ケース９の取付部
２０    ロックばね装着部
２２、２３    窓
２４、２５    穴
２６    接続体支持機構
４１    凸部
４２    凹部
４４    ロックばね
４５    ロックプレート
４６    ロック解除釦
４７    ロックプレート４５の中央部
４８    ロックプレート４５の第１端部
４９    ロックプレート４５の第２端部
５８    機能ユニット２のケース
５９    接点ばねユニット
６０    ケース５８の底面部
６１    ケース５８の側面部
６２    ロック爪
６４    接点ばね部
６６    天井
６７    穴
６８    線
【図１】
0004640267.tif 000002
【図２】
0004640267.tif 000003
【図３】
0004640267.tif 000004
【図４】
0004640267.tif 000005
【図５】
0004640267.tif 000006
【図６】
0004640267.tif 000007
【図７】
0004640267.tif 000008
【図８】
0004640267.tif 000009
【図９】
0004640267.tif 000010
【図１０】
0004640267.tif 000011